(57)【要約】【課題】透明基板の裏面に文字，図形等を凹部にて成形し、該凹部にアルミ蒸着等による鏡面仕上げにて光輝部を形成し、且つ該光輝部を含む透明基板の裏面に適当な色調の色調部を形成してなる透明樹脂オーナメントにおいて、上記光輝部による表現の立体感の向上をはかる。【解決手段】透明基板１の裏面に文字，図形等を凹部２にて成形し、該凹部２にアルミ蒸着等による鏡面仕上げにて光輝部３を形成し、且つ該光輝部３を含む透明基板１の裏面に適当な色調の色調部４を形成してなる透明樹脂オーナメントにおいて、上記凹部２の立上り面２′に表面処理にてシボ２ａを設けて光を散乱させる構成としたことにより、該立上り面２′部への凹部周辺の色調部４の色の写り込みがほとんどなくなり、立上り面２′の光輝部のアルミ調の輝きが増し、光輝部３による文字，図形等の表現の立体感の向上をはかることができる。【選択図】　図１
2004034754.tif 000002
【特許請求の範囲】
【請求項１】
透明基板の裏面に文字，図形等を凹部にて形成し、この凹部に光を反射する光輝部を形成し、且つ上記光輝部を含む透明基板の裏面に適当な色調の色調部を形成してなる透明樹脂オーナメントにおいて、上記凹部の立上り面に光を散乱させる面を構成したことを特徴とする車両等の透明樹脂オーナメント。
【請求項２】
請求項１に記載の車両等の透明樹脂オーナメントにおいて、透明基板の凹部の立上り面に光を散乱させるべきシボを設けたことを特徴とする車両等の透明樹脂オーナメント。
【請求項３】
請求項１に記載の車両等の透明樹脂オーナメントにおいて、透明基板の凹部の立上り面に光を散乱させるべき多数の微細なビードを形成したことを特徴とする車両等の透明樹脂オーナメント。
【請求項４】
請求項１に記載の車両等の透明樹脂オーナメントにおいて、透明基板の凹部の立上り面に光を散乱させるべき多数のヘアラインを形成したことを特徴とする車両等の透明樹脂オーナメント。
【発明の詳細な説明】
【０００１】
【発明の属する技術分野】
本発明は、車両等に装着される透明樹脂オーナメント（装飾用成形品）に関するものである。
【０００２】
【従来の技術】
車両等に装着されるオーナメントとして、例えば図４に示すように、アクリル或はポリカーボネート等の透明樹脂を基材とし、その透明基板１の裏面に文字，図形等を凹部２にて成形し、該凹部２に例えばアルミ蒸着等による鏡面仕上げにて光輝部３を形成し、且つ透明基板１の裏面（上記光輝部３を含む）に適当な色調の色調部４を塗装等によって形成し、正面からは色調部４の色調の中に光輝部３の文字，図形等が立体的に輝いて見えるようにした透明樹脂オーナメントが従来より開発され、例えば実公平２−４９１６１号公報にて公開されている。
【０００３】
【発明が解決しようとする課題】
上記のような透明樹脂オーナメントにおいては、文字，図形等を形成する凹部２の立上り面２′部の光輝部に、凹部周辺の透明基板１裏面の色調部４の色調が写り込んで、立上り面２′の光輝部が見えなくなり、光輝部３で表現される文字や図形の立体感が失われることがある、という課題を有している。
【０００４】
本発明は上記のような従来の課題を解消することを目的とするものである。
【０００５】
【課題を解決するための手段】
本発明は、透明基板の裏面に文字，図形等を凹部にて成形し、この凹部に光を反射する光輝部を形成し、且つ上記光輝部を含む透明基板の裏面に適当な色調の色調部を形成してなる透明樹脂オーナメントにおいて、上記凹部の立上り面にシボ又は多数の微細なビード或は又多数のヘアライン（非常に細かい線）等を設けて光を散乱させるべき面を構成したことを特徴とするものである。
【０００６】
上記の構成によって、上記立上り面への凹部周辺の色調部の色調の写り込みがほとんどなくなり、上記立上り面の光輝部の輝きが増し、該光輝部による文字，図形等の表現の立体感の著しい向上をはかることができる。
【０００７】
【発明の実施の形態】
以下、本発明の実施の形態に付き、図１乃至図３を参照して説明する。
【０００８】
図１は本発明の第１の実施例を示すもので、１は透明樹脂を基材とする透明基板で、該透明基板１の裏面には文字，図形等を現わす凹部２が形成される。該凹部２は透明基板１の裏面からほぼ垂直に立上がる立上り面２′を有している。この凹部２の立上り面２′には表面処理によりシボ（細かい凹凸）２ａが設けられる。
【０００９】
このように立上り面２′にシボ２ａを設けた凹部２の全面に例えばアルミ蒸着等による鏡面仕上げにて光輝部３を形成し、その後、透明基板１の裏面上及び光輝部３上に適当な色調の色調部４を例えば塗装等により形成する。
【００１０】
上記のように構成された透明樹脂オーナメントは、凹部２の立上り面２′に入射する光はシボ２ａにて散乱されるので、凹部周辺の透明基板１裏面の色調部４の色調の上記立上り面２′への写り込みはほとんどなくなり、該立上り面２′部の光輝部３のアルミ調の輝きが増し、光輝部３全体による文字，図形等の表現の立体感は大きく向上する。
【００１１】
図２は本発明の第２の実施例を示すもので、凹部２の立上り面２′に、上記第１実施例のシボ２ａの代わりに、多数の微細なビード（細かい凸条又は凹条）２ｂを形成して光を散乱させるようにしたものである。図２において、その他の構成は図１に示す第１の実施例と同じであり、図１と同一の符号は図１と同じ部分を表わしている。
【００１２】
この図２に示す第２の実施例のものも、凹部２の立上り面２′に入射する光は多数の微細なビード２ｂによって散乱され、凹部周辺の透明基板１裏面の色調部４の色調の上記立上り面２′への写り込みはほとんどなく、光輝部３の立体的表現の向上をはかり得る。
【００１３】
図３は本発明の第３の実施例を示すもので、凹部２の立上り面２′に、上記第１実施例のシボ２ａ或は第２実施例の多数の微細なビード２ｂの代わりに、ヘアライン（一定方向に設けられた非常に細かい線）２ｃを多数凹設又は凸設して光を散乱させるようにしたものである。図３において、その他の構成は図１及び図２の各実施例と同じであり、図１，２と同一の符号は図１，２と同じ部分を表わしている。
【００１４】
この図３に示す第３の実施例のものも、凹部２の立上り面２′に入射する光は多数のヘアライン２ｃにて散乱され、凹部周辺の透明基板１裏面の色調部４の色調の上記立上り面２′への写り込みはほとんどなく、光輝部３の立体的表現の向上をはかることができる。
【００１５】
尚、上記実施例では、凹部２にアルミ蒸着等による鏡面仕上げにて光輝部３を形成した例を示しているが、鏡面仕上げを行った別部品を凹部２に接合して光輝部３を形成しても良い。
【００１６】
又、色調部４は塗装によって形成しても良いし、或は適当な色調の別部品を透明基板１の裏面に接合して色調部４を形成しても良い。
【００１７】
【発明の効果】
以上のように本発明によれば、透明基板の裏面に文字，図形等を凹部にて成形し、この凹部に光を反射する光輝部を形成し、且つ上記光輝部を含む透明基板の裏面に適当な色調の色調部を形成してなる透明樹脂オーナメントにおいて、上記凹部の立上り面に光を散乱させるべき構成を表面処理又は表面形状によって設けただけの極めて簡単な構成によって、上記立上り面への凹部周辺の色調部の色調の写り込みがほとんどなくなり、上記立上り面の光輝部の輝きが増し、該光輝部による文字，図形等の表現の立体感の著しい向上をはかることができるものである。
【図面の簡単な説明】
【図１】本発明の第１の実施例を示すもので、（Ａ）は透明樹脂オーナメントの正面やや上方から見た斜視図、（Ｂ）は（Ａ）のＸ−Ｘ断面図である。
【図２】本発明の第２の実施例を示すもので、（Ａ）は図１（Ａ）のＸ−Ｘ断面に相当する部分の断面図、（Ｂ）は光輝部及び色調部を形成する前の透明基板の断面斜視図である。
【図３】本発明の第３の実施例を示すもので、（Ａ）は図１（Ａ）のＸ−Ｘ断面に相当する部分の断面図、（Ｂ）は光輝部及び色調部を形成する前の透明基板の断面斜視図である。
【図４】
従来構造の一例を示す縦断側面図である。
【符号の説明】
１　　　透明基板
２　　　凹部
２′　　立上り面
２ａ　　シボ
２ｂ　　微細なビード
２ｃ　　ヘアライン
３　　　光輝部
４　　　色調部
【図１】
2004034754.tif 000003
【図２】
2004034754.tif 000004
【図３】
2004034754.tif 000005
【図４】
2004034754.tif 000006